【手続補正書】
【提出日】平成14年12月13日(2002.12.13)
【手続補正１】
【補正対象書類名】明細書
【補正対象項目名】特許請求の範囲
【補正方法】変更
【補正の内容】
【特許請求の範囲】
【請求項１】
第１のコンベヤ区分と第２のコンベヤ区分との間で物品を搬送するための搬送アセンブリであって、前記第２のコンベヤ区分が、前記第１のコンベヤ区分から側方にずらして配置されている形式のものにおいて、
流れ方向を規定する搬送面が設けられており、該搬送面が、前記第１のコンベヤ区分から物品を受け取るための、第１のコンベヤ区分と整合する第１の部分と、前記第２のコンベヤ区分に物品を搬送するための、前記第２のコンベヤ区分と整合する第２の部分とを有しており、
押出し機が設けられており、該押出し機が、前記流れ方向に対してほぼ垂直な方向において、前記第１の部分に隣接した待機位置から前記第２の部分に隣接した前記第１の部分越しの伸張位置まで前記搬送面の第１の部分を横断するように側方移動するようになっており、これにより、前記流れ方向に対してほぼ垂直な方向において、前記搬送面の第１の部分上を搬送される物品を前記搬送面の第２の部分に平行移動させて、前記物品を前記第１のコンベヤ区分から第２のコンベヤ区分に搬送し、また前記押出し機が、前記搬送面に跨る下方に垂れ下がった部分を含んでおり、該下方に垂れ下がった部分同士が、横断部材によって相互結合されていることを特徴とする、第１のコンベヤ区分と第２のコンベヤ区分との間で物品を搬送するための搬送アセンブリ。
【請求項２】
前記搬送面が、被駆動ベルトから構成されている、請求項１記載の搬送アセンブリ。
【請求項３】
前記押出し機が、最初に第１の速度で前記第１の部分を横断するように移動して物品に接触し、次いで第２の速度で前記第１の部分を横断するように移動し、この場合に、前記第１の速度が前記第２の速度よりも低速であり、これにより、前記押出し機が物品に対する衝撃を小さくする、請求項１記載の搬送アセンブリ。
【請求項４】
前記搬送面を支持するフレームが設けられており、また前記押出し機が、前記フレームによって可動に支持されている、請求項１記載の搬送アセンブリ。
【請求項５】
前記押出し機が、一対のレールを介して前記フレームによって可動に支持されている、請求項４記載の搬送アセンブリ。
【請求項６】
前記下方に垂れ下がった部分同士が、前記横断部材によって前記レール上に可動に支持されている、請求項４記載の搬送アセンブリ。
【請求項７】
前記横断部材が、回転アームによって前記フレームを横断するように側方移動させられる、請求項６記載の搬送アセンブリ。
【請求項８】
前記回転アームが、前記横断部材と係合しかつ該横断部材を駆動する大歯車を含んでおり、これにより、前記押出し機を前記待機位置から前記完全伸張位置に移動させ、再び前記待機位置に帰着させる、請求項７記載の搬送アセンブリ。
【請求項９】
前記回転アームが１８０°回転し、これにより、前記押出し機を前記待機位置から前記搬送面の第２の部分に隣接した完全伸張位置に駆動する、請求項７記載の搬送アセンブリ。
【請求項１０】
コンベヤシステムにおいて、
出口端部と搬送面とを有する第１のコンベヤ区分が設けられており、
入口端部と搬送面とを有する第２のコンベヤ区分が設けられており、前記第１のコンベヤ区分が、前記第２のコンベヤ区分から側方にずらして配置されておりかつ該第２のコンベヤ区分とほぼ平行であり、
前記第１のコンベヤ区分と第２のコンベヤ区分との間に位置決めされた第３のコンベヤ区分が設けられており、該第３のコンベヤ区分が、幅が前記第１および第２のコンベヤ区分の搬送面の全幅に亘りかつ、全長が前記第１のコンベヤ区分の出口端部から前記第２のコンベヤ区分の入口端部まで及ぶ搬送面を有しており、該搬送面が、流れ方向を有しており、また前記第１のコンベヤ区分の出口端部に隣接して位置決めされた第１の部分と前記第２のコンベヤ区分の入口端部に隣接して位置決めされた第２の部分とを有しており、前記第３のコンベヤ区分が、搬送アセンブリを含んでおり、該搬送アセンブリが、前記搬送面の全長に亘って該搬送面に跨りかつ該搬送面を横断するように移動する押出し機を有しており、これにより、前記第１の部分と第２の部分との間で、前記搬送面上を搬送される物品を前記流れ方向に対してほぼ垂直な搬送方向に平行移動させて、前記物品を前記第１のコンベヤ区分から第２のコンベヤ区分に搬送することを特徴とする、コンベヤシステム。
【請求項１１】
前記搬送アセンブリが、前記搬送面上を搬送される物品を、前記第１の部分と第２の部分との間で選択的に平行移動させるようになっている、請求項１０記載のコンベヤシステム。
【請求項１２】
前記押出し機が、下方に垂れ下がった部分を含んでおり、該下方に垂れ下がった部分同士が、前記レールによって支持された横断部材によって相互結合されている、請求項１０記載のコンベヤシステム。
【請求項１３】
前記横断部材が、前記駆動装置によって駆動されて、前記押出し機を前記待機位置と完全伸張位置との間で移動させる、請求項１２記載のコンベヤシステム。
【請求項１４】
前記駆動装置が、大歯車を含んでおり、該大歯車が前記横断部材と係合し、これにより該横断部材を駆動する、請求項１３記載のコンベヤシステム。
【請求項１５】
前記大歯車が、円軌道上を駆動され、これにより、前記押出し機を前記搬送面の第１の部分を横断するように移動させる、請求項１４記載のコンベヤシステム。
【請求項１６】
前記大歯車が、一定の角速度で前記円軌道上を駆動され、これにより前記押出し機が、第１の速度で前記第１の部分上を移動して前記搬送面上を搬送される物品に接触し、次いで、前記第１の速度よりも高速の第２の速度で前記物品を前記第１の部分を横断するように移動させ、これにより、高速仕分けを維持すると共に物品に及ぶ衝撃を最小限にする、請求項１５記載のコンベヤシステム。
【請求項１７】
前記横断部材が、横方向チャネルを含んでおり、前記大歯車が前記横方向チャネルと係合し、これにより前記押出し機を前記待機位置と完全伸張位置との間で移動させる、請求項１６記載のコンベヤシステム。
【請求項１８】
前記第３のコンベヤ区分が、フレームを含んでおり、該フレーム上に、前記搬送面が回転可能に支持されている、請求項１０記載のコンベヤシステム。
【請求項１９】
前記搬送面が、回転可能なベルトから構成されている、請求項１８記載のコンベヤシステム。
【請求項２０】
前記押出し機が、前記フレームによって一対のレール上に可動に支持されている、請求項１８記載のコンベヤシステム。
【請求項２１】
前記搬送アセンブリが、最初に第１の速度で前記搬送面の第１の部分を横断するように移動して物品に接触し、次いで第２の速度で物品を前記第１の部分を横断するように移動させ、この場合に、前記第１の速度が前記第２の速度よりも低速であり、これにより、物品に及ぶ前記搬送アセンブリの衝撃を最小限にする、請求項２０記載のコンベヤシステム。
【請求項２２】
前記押出し機が、最初に第１の速度で前記搬送面の第１の部分を横断するように移動して物品に接触し、次いで第２の速度で物品を前記搬送面を横断するように移動させ、この場合に、前記第１の速度が前記第２の速度よりも低速であり、これにより、物品に及ぶ衝撃を最小限にする、請求項１０記載のコンベヤシステム。
【請求項２３】
駆動装置と駆動アームとが設けられており、前記駆動装置が前記駆動アームを回転させ、該駆動アームが、前記押出し機を前記搬送面の第１の部分を横断するように移動させる、請求項１０記載のコンベヤシステム。
【請求項２４】
前記駆動アームが、円軌道上を回転する、請求項２３記載のコンベヤシステム。
【請求項２５】
前記駆動アームが、最初に第１の速度で前記押出し機を移動させ、これにより前記物品に及ぶ衝撃を小さくし、次いで前記押出し機を加速し、これにより、前記第１の速度よりも高速の第２の速度で物品を前記搬送面の第１の部分を横断するように移動させる、請求項２４記載のコンベヤシステム。
【請求項２６】
前記駆動アームが、ほぼ一定の速度で回転する、請求項２５記載のコンベヤシステム。
【請求項２７】
前記第３のコンベヤ区分が、フレームを含んでおり、該フレームによって前記搬送面が支持されている、請求項２５記載のコンベヤシステム。
【請求項２８】
前記駆動アームが、前記押出し機が前記伸張位置に近付く時に前記押出し機を減速し、これにより前記物品の運動量が十分に減じられて、前記搬送面の第２の部分に移動する時の物品の運動量が減じられる、請求項２６記載のコンベヤシステム。
【請求項２９】
駆動装置と、該駆動装置によって回転させられる駆動アームとが設けられており、該駆動アームが、前記押出し機を前記搬送面を横断するように移動させる、請求項１記載の搬送アセンブリ。
【請求項３０】
前記駆動アームが、円軌道上を回転する、請求項２９記載の搬送アセンブリ。
【請求項３１】
前記駆動アームが、ほぼ一定の角速度で回転する、請求項３０記載の搬送アセンブリ。
【手続補正２】
【補正対象書類名】明細書
【補正対象項目名】図１１
【補正方法】変更
【補正の内容】
【図１１】
2004503449.tif 000001